(57)【要約】【課題】セルサーチにおいて、ＰＡＰＲを低減することができ、Ｓ−ＳＣＨの検出確率を向上させること。【解決手段】基地局装置と下りリンクにおいてＯＦＤＭ方式を用いて通信を行う移動局装置は、基地局装置からのマルチキャリア信号を受信する受信部と、受信部において受信したマルチキャリア信号に含まれたプライマリ同期チャネルを検出する第１検出部と、第１検出部において検出したプライマリ同期チャネルをもとに、受信部において受信されるマルチキャリア信号に含まれるセカンダリ同期チャネルを検出する第２検出部とを備える。第２検出部において検出されるセカンダリ同期チャネルでは、周波数領域で交互に配置されるべき２種類のショートコードのそれぞれに対してスクランブルが行われている。【選択図】図７
2010028853.tif 000002
【特許請求の範囲】
【請求項１】
基地局装置と下りリンクにおいてＯＦＤＭ方式を用いて通信を行う移動局装置であって、
前記基地局装置からのマルチキャリア信号を受信する受信部と、
前記受信部において受信したマルチキャリア信号に含まれたプライマリ同期チャネルを検出する第１検出部と、
前記第１検出部において検出したプライマリ同期チャネルをもとに、前記受信部において受信されるマルチキャリア信号に含まれるセカンダリ同期チャネルを検出する第２検出部と
を備え、
前記第２検出部において検出されるセカンダリ同期チャネルでは、周波数領域で交互に配置されるべき２種類のショートコードのそれぞれに対してスクランブルが行われていることを特徴とする移動局装置。
【請求項２】
前記第１検出部において検出されるプライマリ同期チャネルは、プライマリ同期チャネル系列番号をもとに生成されており、
前記第２生成部において検出されるセカンダリ同期チャネルでは、プライマリ同期チャネル系列番号に対応づけられたスクランブル系列が使用されていることを特徴とする請求項１に記載の移動局装置。
【請求項３】
前記第２生成部において検出されるセカンダリ同期チャネルでは、２種類のショートコードのそれぞれにＭ系列が使用されていることを特徴とする請求項１または２に記載の移動局装置。
【請求項４】
前記第２生成部において検出されるセカンダリ同期チャネルでは、ショートコード系列番号に応じた２種類のショートコードが使用されていることを特徴とする請求項１から３のいずれかに記載の移動局装置。
【請求項５】
前記第２生成部において検出されるセカンダリ同期チャネルでは、セル毎に異なるスクランブル系列が使用されていることを特徴とする請求項１から４のいずれかに記載の移動局装置。
【請求項６】
基地局装置と下りリンクにおいてＯＦＤＭ方式を用いて通信を行う移動局装置での受信方法であって、
前記基地局装置からのマルチキャリア信号を受信するステップと、
受信したマルチキャリア信号に含まれたプライマリ同期チャネルを検出するステップと、
検出したプライマリ同期チャネルをもとに、受信されるマルチキャリア信号に含まれるセカンダリ同期チャネルを検出するステップと
を備え、
前記セカンダリ同期チャネルを検出するステップにおいて検出されるセカンダリ同期チャネルでは、周波数領域で交互に配置されるべき２種類のショートコードのそれぞれに対してスクランブルが行われていることを特徴とする受信方法。
【請求項７】
前記プライマリ同期チャネルを検出するステップにおいて検出されるプライマリ同期チャネルは、プライマリ同期チャネル系列番号をもとに生成されており、
前記セカンダリ同期チャネルを検出するステップにおいて検出されるセカンダリ同期チャネルでは、プライマリ同期チャネル系列番号に対応づけられたスクランブル系列が使用されていることを特徴とする請求項６に記載の受信方法。
【請求項８】
前記セカンダリ同期チャネルを検出するステップにおいて検出されるセカンダリ同期チャネルでは、２種類のショートコードのそれぞれにＭ系列が使用されていることを特徴とする請求項６または７に記載の受信方法。
【請求項９】
前記セカンダリ同期チャネルを検出するステップにおいて検出されるセカンダリ同期チャネルでは、ショートコード系列番号に応じた２種類のショートコードが使用されていることを特徴とする請求項６から８のいずれかに記載の受信方法。
【請求項１０】
前記セカンダリ同期チャネルを検出するステップにおいて検出されるセカンダリ同期チャネルでは、セル毎に異なるスクランブル系列が使用されていることを特徴とする請求項６から９のいずれかに記載の受信方法。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する無線通信システムに関し、特に基地局装置及び移動局装置並びに同期チャネル送信方法に関する。
【背景技術】
【０００２】
Ｗ−ＣＤＭＡやＨＳＤＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
尚、ＬＴＥにおいては、ＯＦＤＭにおいて、遅延波によるシンボル間干渉の影響を軽減するためのＣｙｃｌｉｃ  Ｐｒｅｆｉｘ（ＣＰ）として、Ｌｏｎｇ  ＣＰとＳｈｏｒｔ  ＣＰという長さの異なる２種類のＣＰが用意されている。例えば、Ｌｏｎｇ  ＣＰはセル半径の大きいセルで、また、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）信号送信時に適用され、Ｓｈｏｒｔ  ＣＰはセル半径の小さいセルで適用される。Ｌｏｎｇ  ＣＰを適用した場合、１スロット内のＯＦＤＭシンボル数は６であり、Ｓｈｏｒｔ  ＣＰを適用した場合、１スロット内のＯＦＤＭシンボル数は７である。
【０００６】
ところで、一般に、Ｗ−ＣＤＭＡやＬＴＥ等を用いた無線通信システムにおいて、移動局は、電源立ち上げ時、待ち受け中、通信中、あるいは、通信中の間欠受信時等において、同期信号などに基づいて、自局にとって無線品質が良好なセルを検出しなければならない。このプロセスを、無線リンクを接続すべきセルを探すという意味で、セルサーチと呼ぶ。セルサーチ方法は、一般に、セルサーチに要する時間、及び、セルサーチを行う際の移動局の処理負荷に基づいて決定される。すなわち、上記セルサーチの方法は、セルサーチに要する時間が短く、かつ、セルサーチを行う際の移動局の処理負荷が小さいような方法でなければならない。
【０００７】
Ｗ−ＣＤＭＡにおいては、Ｐｒｉｍａｒｙ  ＳＣＨ（Ｐ−ＳＣＨ）とＳｅｃｏｎｄａｒｙ  ＳＣＨ（Ｓ−ＳＣＨ）という２種類の同期信号を用いてセルサーチが行われており、ＬＴＥにおいても、同様に、セルサーチにＰ−ＳＣＨとＳ−ＳＣＨの２種類の同期信号を用いることが検討されている。
【０００８】
例えば、セルサーチの方法として、５ｍｓに１回の時間間隔で、１つの系列を有するＰ−ＳＣＨと、複数の系列を有するＳ−ＳＣＨを送信するセルサーチ方法が検討されている（非特許文献２）。上記方法においては、Ｐ−ＳＣＨにより、各セルからの下りリンクの受信タイミングが特定され、同じスロットに送信されるＳ−ＳＣＨにより、受信フレームタイミングの検出とセルＩＤもしくはセルのグループ(Group  ID)等のセル固有の情報が特定される。ここで、上記Ｓ−ＳＣＨの復調・復号には、一般に、上記Ｐ−ＳＣＨから求まるチャネル推定値を用いることが可能である。そして、セルＩＤのグループ化を行う場合には、その後、検出されたセルのGroup  IDに属するセルＩＤの中から、当該セルのIDを検出する。例えば、セルのIDは、パイロット信号の信号パターンに基づいて算出される。また、例えば、セルのIDは、上記Ｐ−ＳＣＨおよび上記Ｓ−ＳＣＨの復調・復号に基づいて算出される。あるいは、セルＩＤのグループ化を行わずに、Ｓ−ＳＣＨの情報要素として、セルのＩＤが含まれていてもよい。この場合、移動局は、Ｓ−ＳＣＨを復調・復号した時点でセルのＩＤを検出することができる。
【０００９】
しかしながら、上記セルサーチの方法を適用した場合、各セルからの信号が同期している局間同期システムにおいては、複数のセルから同じ系列で送信されるＰ−ＳＣＨから求まるチャネル推定値に基づいて、複数のセルから異なる系列で送信されるＳ−ＳＣＨを復調・復号することが生じるため、Ｓ−ＳＣＨの伝送特性が劣化するという問題点がある。ここで、伝送特性は、例えば、セルサーチに要する時間も含む。尚、各セルからの信号が同期していない非局間同期システムの場合は、複数のセルから送信されるＰ−ＳＣＨの系列の受信タイミングが、複数のセルの間で異なるため、上記のような問題は生じない。
【００１０】
上述したような、局間同期システムにおけるＳ−ＳＣＨの特性劣化を防ぐために、Ｐ−ＳＣＨの系列数を１から２以上の数、例えば、３か７にするセルサーチの方法が検討されている（非特許文献３）。あるいは、上述したような、局間同期システムにおけるＳ−ＳＣＨの特性劣化を防ぐために、Ｐ−ＳＣＨをセル毎に異なる送信間隔で送信する方法が提案されている（非特許文献４）。上記方法においては、Ｓ−ＳＣＨの復調・復号において、複数のセルからの受信タイミングが異なるＰ−ＳＣＨを用いることができるため、上述したＳ−ＳＣＨの特性劣化を防ぐことが可能となる。
【００１１】
ところで、上述した、非特許文献３におけるＰ−ＳＣＨの系列数や非特許文献４におけるＰ−ＳＣＨの送信間隔の種類は、セル設計の観点からは、多ければ多いほど良いと考えられる。というのは、上記Ｐ−ＳＣＨの系列数やＰ−ＳＣＨの送信間隔の種類が少ない場合、隣り合うセルでＰ−ＳＣＨの系列が同じになる確率、あるいは、Ｐ−ＳＣＨの送信間隔が同じになる確率が高くなり、局間同期システムにおけるＳ−ＳＣＨの特性劣化が生じる確率が高くなるからである。
【００１２】
また、上述したセルサーチに要する時間、すなわち、セルサーチの伝送特性と、セルサーチを行う際の移動局の処理負荷は、トレードオフの関係にあり、パラメータの設定、あるいは、運用方法により、セルサーチの伝送特性を重要視するか、セルサーチを行う際の移動局の処理負荷を重要視するかを選択できることが望ましい。
【先行技術文献】
【非特許文献】
【００１３】
【非特許文献１】3GPP  TR  25.814  (V7.0.0),  "Physical  Layer  Aspects  for  Evolved  UTRA,"  June  2006
【非特許文献２】R1-062990,  Outcome  of  cell  search  drafting  session
【非特許文献３】R1-062636,  Cell  Search  Performance  in  Tightly  Synchronized  Network  for  E-UTRA
【非特許文献４】R1-070428,  Further  analysis  of  initial  cell  search  for  Approach  1  and  2  -  single  cell  scenario
【非特許文献５】3GPP  TS  36.211  V1.0.0(2007-03)
【非特許文献６】3GPP  R1-060042   SCH Structure and Cell Search Method in E-UTRA Downlink
【非特許文献７】3GPP  R1-071584  Secondary Synchronization Signal Design
【非特許文献８】3GPP  R1-071794
【非特許文献９】C.  Chu,  "Polyphase  codes  with  good  periodiccorrelation  properties,"IEEE  Trans.  Inform.  Theory,  vol.  II-18,  pp.531-532,  July  1972
【非特許文献１０】R.L.Frank  and  S.A.Zadoff,  "Phase  shift  pulse  codes  with  good  periodic  correlation  properties,  "IRE  Trans.  Inform.  Theory,  vol.  IT-8,  pp.  381-382,  1962.
【非特許文献１１】M.J.E.  Golay,  "Complementary  Series,"  IRE  Trans.  Inform.  Theory,  vol.  7,  pp.  82-87,  April  1961
【非特許文献１２】3GPP,  R1-062487  Hierarchical  SCH  signals  suitable  for  both  (FDD  and  TDD)  modes  of  E-UTRA
【非特許文献１３】3GPP,  R1-070146,  S-SCH  Sequence  Design
【非特許文献１４】3GPP,  R1-072093,  Details on SSC Sequence Design
【非特許文献１５】3GPP,  R1-071641,  Frequency  Hopping/Shifting  of  Downlink  Reference  Signal  in  E-UTRA
【非特許文献１６】3GPP,  R1-072368，  Mapping of Short Sequences for S-SCH
【非特許文献１７】3GPP,  R1-072326，  S-SCH sequences based on concatenated Golay  Hadamard  codes
【非特許文献１８】3GPP,  R1-072189，  Views  on  Remaining  Issues  on  SCH  Design
【非特許文献１９】3GPP,  R1-072328，  Secondary-Synchronization  Channel  Design
【非特許文献２０】3GPP,  R1-072110，  Secondary Synchronisation Codes for LTE cell search
【非特許文献２１】3GPP,  R1-072661，  Scrambling Method for Two S-SCH Short Code
【発明の概要】
【発明が解決しようとする課題】
【００１４】
しかしながら、上述した背景技術には以下の問題がある。
【００１５】
上述したように、同期チャネル（SCH：  Synchronization  Channel）は、セルサーチに使用される下りリンクのシグナリングである。この同期チャネルには、階層型SCHの適用が決定されている（例えば、非特許文献５参照）。すなわち、プライマリ同期チャネル（Primary  SCH）とセカンダリ同期チャネル（Secondary  SCH）の２のサブチャネルにより構成される。
【００１６】
このプライマリ同期チャネルとセカンダリ同期チャネルのうち、セカンダリ同期チャネルでは、セルIDグループ、無線フレームタイミング、送信アンテナ数情報などのセル固有の情報が通知される。ユーザ装置は、セカンダリ同期チャネルの系列の検出を行うことにより、セル固有の情報の検出を行う。
【００１７】
上述したように、Ｗ−ＣＤＭＡ（Wideband  Code  Division  Multiple  Access）方式では、ハンドオーバが行われる場合に周辺セルサーチが行われるが、この周辺セルサーチに先だって、近隣セルのセル固有情報（周辺セル情報）が予めユーザ装置に通知される。しかし、LTEシステムでは、このような周辺セル情報が通知されるか否かについては決定されていない。通信中や待ち受け時において、ハンドオーバ先となるセルを検出する周辺セルサーチでは、周辺セル情報などが予め通知される場合には、検出すべきセル固有情報の候補数を減少させることが可能である。
【００１８】
セカンダリ同期チャネル系列のマッピング方法として、周波数方向に異なる系列をマッピングする方法が提案されている（例えば、非特許文献６、非特許文献７参照）。例えば、図１に示すように直交系列１（P1(0)，P1(1)，・・・，P1(31)）と、直交系列２（P2(0)，P2(1)，・・・，P2(31)）とが１サブキャリアおきに交互にマッピングされる。また、例えば、図２に示すように直交系列１（P1(0)，P1(1)，・・・，P1(31)）と、直交系列２（P2(0)，P2(1)，・・・，P2(31)）とが連続するサブキャリアにマッピングされる。このように系列を複数に分けることにより、送信できるパターン数を増大させることができる。具体的には、例えば系列長６４の系列1種類を用いる場合には、６４種類のパターン数を送信可能であるのに対し、図２に示すように系列長３２の２種類の系列を用いる場合には、１０２４種類のパターン数を送信可能となる。
【００１９】
これまで、同期チャネルの系列としては、Ｐ−ＳＣＨについては、複数、例えば、３種類のZadoff-Chu系列を用いること、Ｓ−ＳＣＨについては、バイナリ系列を使用すること、この系列は２種類のショートコードの組み合わせであることが決定されている（例えば、非特許文献５及び８参照）。
【００２０】
このようなＳ−ＳＣＨ系列を用いた場合、特に１．２５ＭＨｚのシステムにおいて、ＰＡＰＲ（peak-to-average  power  ratio）が増大する問題がある。
【００２１】
また、Ｐ−ＳＣＨとＳ−ＳＣＨは、５ｍｓ毎に送信される。各セルからの信号が同期している局間同期システムにおいては、移動局は複数のセルから、信号を同時に受信する。ここで、各セルが同一のＳ−ＳＣＨを５ｍｓ毎に送信する場合、あるセル内において、Ｓ−ＳＣＨの干渉が５ｍｓ毎に生じ、移動局におけるＳ−ＳＣＨの検出確率が低下する問題がある。
【００２２】
そこで、本発明は、上述した課題に鑑み、その目的は、セルサーチにおいて、ＰＡＰＲを低減することができ、Ｓ−ＳＣＨの検出確率を向上させることができる移動局装置及び受信方法を提供することにある。
【課題を解決するための手段】
【００２３】
本移動局装置は、
基地局装置と下りリンクにおいてＯＦＤＭ方式を用いて通信を行う移動局装置であって、
前記基地局装置からのマルチキャリア信号を受信する受信部と、
前記受信部において受信したマルチキャリア信号に含まれたプライマリ同期チャネルを検出する第１検出部と、
前記第１検出部において検出したプライマリ同期チャネルをもとに、前記受信部において受信されるマルチキャリア信号に含まれるセカンダリ同期チャネルを検出する第２検出部と
を備え、
前記第２検出部において検出されるセカンダリ同期チャネルでは、周波数領域で交互に配置されるべき２種類のショートコードのそれぞれに対してスクランブルが行われている。
【００２４】
本受信方法は、
基地局装置と下りリンクにおいてＯＦＤＭ方式を用いて通信を行う移動局装置での受信方法であって、
前記基地局装置からのマルチキャリア信号を受信するステップと、
受信したマルチキャリア信号に含まれたプライマリ同期チャネルを検出するステップと、
検出したプライマリ同期チャネルをもとに、受信されるマルチキャリア信号に含まれるセカンダリ同期チャネルを検出するステップと
を備え、
前記セカンダリ同期チャネルを検出するステップにおいて検出されるセカンダリ同期チャネルでは、周波数領域で交互に配置されるべき２種類のショートコードのそれぞれに対してスクランブルが行われている。
【発明の効果】
【００２５】
本発明の実施例によれば、セルサーチにおいて、ＰＡＰＲを低減することができ、Ｓ−ＳＣＨの検出確率を向上させることができる移動局装置及び受信方法を実現することができる。
【図面の簡単な説明】
【００２６】
【図１】Ｓ−ＳＣＨ系列のマッピング方法を示す説明図である。
【図２】Ｓ−ＳＣＨ系列のマッピング方法を示す説明図である。
【図３】本発明の一実施例に係る無線通信システムの構成を示すブロック図である。
【図４】無線フレーム構成を示す説明図である。
【図５】サブフレームの構成を示す説明図である。
【図６】本発明の一実施例に係る基地局装置を示す部分ブロック図である。
【図７】本発明の一実施例に係る基地局装置のベースバンド信号処理部を示すブロック図である。
【図８】同期信号送信パターンの定義の一例を示す説明図である。
【図９】本発明の一実施例に係るＳ−ＳＣＨ系列のマッピング方法を示す説明図である。
【図１０】本発明の一実施例に係るＳ−ＳＣＨ系列のマッピング方法を示す説明図である。
【図１１】本発明の一実施例に係る移動局装置を示す部分ブロック図である。
【図１２】本発明の一実施例に係るセルサーチ方法を示すフロー図である。
【図１３】プライマリ報知チャネルにおけるスクランブルコードの生成方法を示す説明図である。
【発明を実施するための形態】
【００２７】
以下、本発明の実施例を、図面を参照しつつ説明する。実施例を説明するための全図において、同一機能を有するものは同一符号を用い、繰り返しの説明は省略する。
【００２８】
図３を参照しながら、本発明の実施例に係る移動局及び基地局装置を有する無線通信システムについて説明する。
【００２９】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００ｍ（２００１、２００２、２００３、・・・、２００ｍ、ｍはｍ＞０の整数）と、基地局装置２００ｍと通信する複数の移動局１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０ｋ（５０１、５０２、・・・、５０ｋ、ｋはｋ＞０の整数）のいずれかにおいて基地局装置２００ｍとＥｖｏｌｖｅｄ  ＵＴＲＡ  ａｎｄ  ＵＴＲＡＮにより通信を行う。
ここで、上記移動局１００ｎには、基地局装置２００ｍのいずれかと通信チャネルを確立し、通信状態にあるものと、基地局２００ｍのいずれとも通信チャネルを確立しておらず、無通信状態にあるものが混在するものとする。
【００３０】
基地局装置２００ｍは、同期信号を送信する。移動局１００ｎは、セル５０ｋ（５０１、５０２、５０３、・・・５０ｋ、ｋはｋ＞０の整数）のいずれかに位置し、電源立ち上げ時、あるいは、通信中の間欠受信時等において、上記同期信号に基づいて、自局にとって無線品質が良好なセルを検出するセルサーチを行う。すなわち、移動局１００ｎは、同期信号を用いてシンボルタイミングとフレームタイミングとを検出し、かつ、セルID（セルIDから生成されるセル固有のスクランブルコード）またはセルＩＤの集合（以下、セルＩＤグループと呼ぶ）などのセル固有の制御情報の検出を行う。
【００３１】
ここで、セルサーチは、移動局１００ｎが通信状態にある場合と無通信状態にある場合の両方で行われる。例えば、通信状態におけるセルサーチとしては、同じ周波数のセルを検出するためのセルサーチや異なる周波数のセルを検出するためのセルサーチ等がある。また、無線通信状態におけるセルサーチとしては、例えば、電源立ち上げ時のセルサーチや待ち受け時のセルサーチ等がある。
【００３２】
以下、基地局装置２００ｍ（２００１、２００２、２００３、・・・２００ｍ）については、同一の構成、機能、状態を有するので、以下では特段の断りがない限り基地局２００ｍとして説明を進める。以下、移動局１００ｎ（１００１、１００２、１００３、・・・１００ｎ）については、同一の構成、機能、状態を有するので、以下では特段の断りがない限り移動局１００ｎとして説明を進める。以下、セル５０ｋ（５０１、５０２、５０３、・・・５０ｋ）については、同一の構成、機能、状態を有するので、以下では特段の断りがない限りセル５０ｋとして説明を進める。
【００３３】
無線通信システム１０００は、無線アクセス方式として、下りリンクについてはＯＦＤＭ（直交周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００３４】
ここで、Ｅｖｏｌｖｅｄ  ＵＴＲＡ  ａｎｄ  ＵＴＲＡＮにおける通信チャネルについて説明する。
【００３５】
下りリンクについては、各移動局１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。下りリンクでは、ＬＴＥ用の下り制御チャネルにより、物理下りリンク共有チャネルにマッピングされる移動局の情報やトランスポートフォーマットの情報、物理上りリンク共有チャネルにマッピングされる移動局の情報やトランスポートフォーマットの情報、物理上りリンク共有チャネルの送達確認情報などが通知され、物理下りリンク共有チャネルによりユーザデータが伝送される。
【００３６】
また、下りリンクにおいて、基地局装置２００ｍは、移動局１００ｎがセルサーチを行うための同期信号を送信する。
【００３７】
上りリンクについては、各移動局１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。尚、上り制御チャネルには、物理上りリンク共有チャネルと時間多重されるチャネルと、周波数多重されるチャネルの２種類がある。
【００３８】
上りリンクでは、ＬＴＥ用の上り制御チャネルにより、下りリンクにおける物理共有チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理共有チャネルの送達確認情報（ＨＡＲＱ  ＡＣＫ  ｉｎｆｏｒｍａｔｉｏｎ）が伝送される。また、物理上りリンク共有チャネルによりユーザデータが伝送される。
【００３９】
下りリンク伝送では、図４に示すように、１無線フレーム(Ｒａｄｉｏ  Ｆｒａｍｅ)は１０ｍｓであり、１Ｒａｄｉｏ  Ｆｒａｍｅ内に１０個のサブフレームが存在する。また、図５に示すように、１サブフレームは、２個のスロットで構成され、１個のスロットは、ショートCP(Ｓｈｏｒｔ  ＣＰ)を用いる場合に７個のＯＦＤＭシンボル（図５における上図）、ロングCP(Ｌｏｎｇ  ＣＰ)を用いる場合に６個のＯＦＤＭシンボル（図５における下図）で構成される。
【００４０】
次に、本発明の実施例に係る基地局装置２００ｍについて、図６を参照して説明する。
【００４１】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。
【００４２】
下りリンクにより基地局装置２００ｍから移動局１００ｎに送信されるパケットデータは、基地局装置２００の上位に位置する上位局、例えばアクセスゲートウェイ装置３００から伝送路インターフェース２１２を介してベースバンド信号処理部２０８に入力される。
【００４３】
ベースバンド信号処理部２０８では、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、ベースバンド信号処理部２０８では、後述するように、同期信号の生成処理が行われる。上記同期信号は、上記パケットデータに多重されて送受信部２０６に転送される。
【００４４】
送受信部２０６では、ベースバンド信号処理部２０８から出力されたベースバンド信号を無線周波数帯に変換する周波数変換処理が行われ、その後、アンプ部２０４で増幅されて送受信アンテナ２０２より送信される。ここで、ベースバンド信号とは、上述したパケットデータや同期信号等である。
【００４５】
一方、上りリンクにより移動局１００ｎから基地局装置２００ｍに送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。
【００４６】
ベースバンド信号処理部２０８では、入力されたベースバンド信号に対して、ＦＦＴ処理、誤り訂正復号、ＭＡＣ再送制御の受信処理、ＲＬＣ  ｌａｙｅｒの受信処理がなされ、伝送路インターフェース２１２を介してアクセスゲートウェイ装置３００に転送される。
【００４７】
呼処理部２１０は、無線基地局２００の状態管理やリソース割り当てを行う。
【００４８】
次に、ベースバンド信号処理部２０８の構成について、図７を参照して説明する。尚、本発明に係る実施形態は、主に下りリンクに係るため、同図においては、下りリンクの処理に係る部分を示し、上りリンクの処理に係る部分は省略する。
【００４９】
ベースバンド信号処理部２０８は、ＲＬＣ処理部２０８１と、ＭＡＣ（Ｍｅｄｉｕｍ  Ａｃｃｅｓｓ  Ｃｏｎｔｒｏｌ）処理部２０８２と、符号化部２０８３と、データ変調部２０８４と、多重部２０８５と、直並列変換部２０８６と、乗算器２０８７と、乗算器２０８８と、スクランブルコード生成部２０８９と、振幅調整部２０８１０と、合成部２０８１１と、ＩＦＦＴ（ＩＤＦＴ）２０８１２と、ＣＰ付加部２０８１３と、同期信号生成部２０９とを具備する。
【００５０】
伝送路インターフェース部より受け取った下りリンクのパケットデータの送信データ系列は、ＲＬＣ処理部２０８１において、分割・結合、ＲＬＣ再送制御の送信処理等のＲＬＣ  ｌａｙｅｒの送信処理が行われ、ＭＡＣ処理部２０８２において、ＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング、伝送フォーマットの選択、周波数リソースの割り当て等のＭＡＣ  ｌａｙｅｒの送信処理が行われた後、符号化部２０８３において符号化され、データ変調部２０８４においてデータ変調される。そして、データ変調された送信データ系列に、多重部２０８５においてパイロットシンボルが多重され、上記パイロットシンボルが多重された送信データ系列は、直並列変換部２０８６において直並列変換されて周波数軸上のＮ個の情報シンボル系列に変換され、周波数軸上に並べられる。ここで、上記パイロットシンボルは、例えば、下りリンクリファレンスシグナル（Ｄｏｎｗｌｉｎｋ  Ｒｅｆｅｒｅｎｃｅ  Ｓｉｇｎａｌ）である。上記周波数軸上に並べられたＮ個の情報シンボル系列に対して、Ｎ個の乗算器２０８７それぞれにおいて、スクランブルコード生成部２０８９が出力するスクランブルコードが周波数方向に乗算され、さらに、スクランブルコードが乗算されたシンボル系列に対して、Ｎ個の乗算部２０８８それぞれにおいて、振幅調整部２０８１０の出力する振幅調節系列値が乗算され、合成部２０８１１に出力される。合成部２０８１１は、スクランブルコードおよび振幅調整系列値が乗算された系列長Ｎのシンボル系列に、同期信号生成部２０９において作成された同期信号を、Ｎ個のサブキャリアのうちの該当する特定のサブキャリアに多重する。
【００５１】
後述するように、同期信号が送信されるサブフレーム番号およびスロット番号は、同期信号制御部２０９１によって決定される。同期信号が送信されるサブフレーム番号およびスロット番号においては、同期信号生成部２０９において作成された同期信号が、スクランブルコードおよび振幅調整系列値が乗算された、系列長Ｎの下りリンクのパケットデータのシンボル系列に対して多重され、同期信号が送信されないサブフレーム番号およびスロット番号においては、同期信号生成部２０９において作成された同期信号は多重されず、スクランブルコードおよび振幅調整系列値が乗算された、系列長Ｎの下りリンクのパケットデータのシンボル系列のみが逆フーリエ変換部２０８１２に送信される。同期信号が多重されるサブキャリアは、例えば、全帯域幅の中心を含む帯域に位置する。また、同期信号が多重されるサブキャリアの帯域幅は、例えば１．２５ＭＨｚである。
【００５２】
逆フーリエ変換部（ＩＦＦＴ部）２０８１２は、Ｎ個のシンボルを直交マルチキャリア信号に変換する。ＣＰ付加部２０８１３は、フーリエ対象時間毎にこのマルチキャリア信号に、ＣＰを挿入する。尚、上記ＣＰの長さ（ＣＰ長）には、Ｌｏｎｇ  ＣＰとＳｈｏｒｔ  ＣＰの２種類があり、セル毎にどちらのＣＰ長を用いるかが選択される。
【００５３】
同期信号生成部２０９における同期信号の生成処理について説明する。尚、上記同期信号は、第１の同期信号（以下、Ｐ−ＳＣＨと呼ぶ）と、第２の同期信号（以下、Ｓ−ＳＣＨと呼ぶ）とから構成される。同期信号生成部２０９は、同期信号制御部２０９１と、同期信号発生部２０９２と、データ変調部２０９３と、直並列変換部２０９４と、乗算器２０９５と、振幅調整部２０９６とを具備する。同期信号発生部２０９２は、Ｐ−ＳＣＨ生成部２５２と、Ｓ−ＳＣＨ生成部２５４と、乗算器２５６と、スクランブル系列生成部２５８と、多重部２６０とを具備する。同期信号制御部２０９１は、同期信号発生部２０９２のＰ−ＳＣＨ生成部２５２、Ｓ−ＳＣＨ生成部２５４、スクランブル系列生成部２５８及び多重部２６０と接続される。
【００５４】
同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤあるいはセルＩＤグループに基づき、Ｐ−ＳＣＨの系列番号及びＳ−ＳＣＨの系列番号と、Ｐ−ＳＣＨおよびＳ−ＳＣＨが送信されるサブフレーム番号およびスロット番号とを決定する。移動局は、例えば、セルＩＤグループを特定した後、パイロット信号、すなわち、Ｒｅｆｅｒｅｎｃｅ  Ｓｉｇｎａｌの信号パターンに基づいてセルを特定してもよい。この場合、例えば、Ｒｅｆｅｒｅｎｃｅ  Ｓｉｇｎａｌの信号パターンとセルのＩＤが予め規定されていることになる。あるいは、移動局は、例えば、Ｐ−ＳＣＨおよびＳ−ＳＣＨの復調・復号に基づいて、セルを特定してもよい。この場合、例えば、Ｐ−ＳＣＨ系列番号とセルＩＤ情報が予め規定されていることになる。Ｐ−ＳＣＨでは、セクタ毎に異なる系列が選択される。例えば、３セクタ構成のセルのＰ−ＳＣＨ系列は、３つの異なる系列を含んで構成されるセットから選択される。
【００５５】
そして、同期信号制御部２０９１は、上記Ｐ−ＳＣＨの系列番号をＰ−ＳＣＨ生成部２５２に通知し、上記Ｓ−ＳＣＨの系列番号をＳ−ＳＣＨ生成部２５４に通知する。また、同期信号制御部２０９１は、上記Ｐ−ＳＣＨおよびＳ−ＳＣＨが送信されるサブフレーム番号およびスロット番号を、同期信号送信タイミング情報として多重部２６０に通知する。
【００５６】
例えば、無線通信システム１０００は、非特許文献５および図８に示すように、Ｐ−ＳＣＨおよびＳ−ＳＣＨが送信されるサブフレーム番号およびスロット番号を定義する。この例においては、複数種類、例えば３種類のＰ−ＳＣＨ系列が用いられ、サブフレーム番号＃１とサブフレーム番号＃６において同期信号が送信される。また、この例においては、Ｐ−ＳＣＨがスロットの最後のＯＦＤＭシンボルにマッピングされることにより、移動局において、Ｌｏｎｇ  ＣＰが用いられているか、Ｓｈｏｒｔ  ＣＰが用いられているかに関係なく、Ｐ−ＳＣＨの復調を行うことが可能となる。その理由は、スロットの最後のＯＦＤＭシンボルにおいては、Ｌｏｎｇ  ＣＰ適用時の６番目のＯＦＤＭシンボルとＳｈｏｒｔ  ＣＰ適用時の７番目のＯＦＤＭシンボルが時間的に一致しているからである。言い換えれば、ショートCPでもロングCPでもスロットの先頭及び末尾のタイミングは一致しているからである。この時、無線通信システムは、Ｐ−ＳＣＨ系列番号とセルＩＤ情報とを予め関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤに基づき、Ｐ−ＳＣＨの系列番号を決定することができる。
【００５７】
一般に、基地局装置２００ｍが提供する通信エリアは、２つ以上のエリアに分割されている。これはセクタ化と呼ばれる。基地局装置２００ｍが複数のセクタを有する場合には上記セルＩＤまたはセルＩＤグループは、基地局装置２００ｍの全てのセクタを合わせたエリアのＩＤとして使われてもよいし、基地局装置２００ｍの各セクタのＩＤとして使われてもよい。セルＩＤまたはセルＩＤグループが、基地局装置２００ｍの全てのセクタを合わせたエリアのＩＤとして使われる場合には、上記同期信号系列と、上記同期信号が送信されるサブフレーム番号およびスロット番号との組み合わせは、基地局装置２００ｍ毎に設定される。セルＩＤまたはセルＩＤグループが、基地局装置２００ｍの各セクタのＩＤとして使われる場合には、上記同期信号系列と、上記同期信号が送信されるサブフレーム番号およびスロット番号との組み合わせは、基地局装置２００ｍのセクタ毎に設定される。
【００５８】
Ｐ−ＳＣＨ系列としては，Ｚａｄｏｆｆ−Ｃｈｕ系列（非特許文献９）などのＣＡＺＡＣ（Ｃｏｎｓｔａｎｔ  Ａｍｐｌｉｔｕｄｅ  Ｚｅｒｏ  ＡｕｔｏＣｏｒｒｅｌａｔｉｏｎ  ｓｅｑｕｅｎｃｅ）系列、Ｆｒａｎｋ系列（非特許文献１０）、Ｍｏｄｕｌａｔｅｄ  Ｆｒａｎｋ系列（非特許文献１０）、Ｇｏｌａｙ  Ｃｏｍｐｌｅｍｅｎｔａｒｙ系列（非特許文献１１）、Ｄｏｕｂｌｅ  Ｒｅｐｅｔｉｔｉｖｅ  Ｇｏｌａｙ  Ｃｏｍｐｌｅｍｅｎｔａｒｙ  ｓｅｑｕｅｎｃe（非特許文献１２）、ＰＮ（Ｐｓｅｕｄｏ  Ｎｏｉｓｅ）系列などを用いるようにしてもよい。
【００５９】
また、Ｓ−ＳＣＨ系列としては，直交系列に非直交系列であるスクランブル系列を乗算した２階層型のＳ−ＳＣＨ系列（非特許文献１３）を用いてもよいし、異なる複数の直交系列を周波数領域で交互に配置するＳ−ＳＣＨ系列を用いてもよいし、異なる複数の直交系列に非直交系列であるスクランブル系列を乗算したＳ−ＳＣＨ系列（非特許文献６）を用いてもよいし，異なる複数の直交系列を連続するサブキャリアに配置するＳ−ＳＣＨ系列（非特許文献７）を用いてもよいし、異なる複数の直交系列を連続するサブキャリアに配置し、非直交系列であるスクランブル系列を乗算するＳ−ＳＣＨ系列を用いてもよい。直交系列には、Ｗａｌｓｈ−Ｈａｄａｍａｒｄ系列、位相回転直交系列、ＰＮ系列、Ｍ系列（非特許文献１４）を用いてもよいし、非直交系列には、ＧＣＬ系列などのＣＡＺＡＣ系列、Ｇｏｌａｙ系列、Ｇｏｌａｙ  Ｃｏｍｐｌｅｍｅｎｔａｒｙ  ｓｅｑｕｅｎｃe（非特許文献１１）、ＰＮ系列などを用いるようにしてもよい。
【００６０】
Ｐ−ＳＣＨ生成部２５２及びＳ−ＳＣＨ生成部２５４は、同期信号制御部２０９１により通知された同期信号系列情報および同期信号送信タイミング情報に基づき、それぞれＰ−ＳＣＨ系列及びＳ−ＳＣＨ系列を生成する。
【００６１】
例えば、同期信号発生部２０９２は、Ｓ−ＳＣＨを生成する場合に、Ｓ−ＳＣＨで通知するセル固有情報を階層化してもよい。セル固有の情報とは、セルＩＤグループ、無線フレームタイミング及び送信アンテナ数情報のうち少なくとも１つの情報が含まれる。ここで、無線通信システム１０００は、移動局がセルサーチを行う際に、周辺セル情報などの事前情報として、階層化された一部の情報を通知してもよい。例えば、事前情報として、セルＩＤグループを通知してもよいし、セルＩＤグループの一部を通知してもよいし、無線フレームタイミングを通知してもよいし、送信アンテナ数情報を通知してもよいし、セルＩＤグループの一部、セルＩＤグループ、無線フレームタイミング及び送信アンテナ数情報を組み合わせた情報のうちいずれか１つの情報が含まれていてもよい。このようにすることにより、移動局がセルサーチを行う際に検出する系列数を減少させることができる。
【００６２】
具体的には、例えば、図９に示すように、セルＩＤグループを複数種類の系列、例えばそれぞれ３２個のショートコードを含む系列を含む２種類の系列に分ける。図９には、３２個の系列長が３２であるショートコードを含む系列１としてのファーストレイヤーセルＩＤグループ、３２個の系列長が３２であるショートコードを含む系列２としてのセカンドレイヤーセルＩＤグループが示される。系列１において無線フレームタイミング、系列２において送信アンテナ数情報を送信するようにしてもよい。さらに、系列１に対して０−３１番の系列インデックスが付されたファーストレイヤーセルＩＤグループに属するショートコードが２つに分割され、新たに０−１５番の系列インデックスが付される。この系列インデックスをファーストレイヤーセルＩＤグループインジケータと呼ぶ。例えば、Ｓ−ＳＣＨの系列としては、Walsh-hadamard系列を使用できる。該Walsh-hadamard系列に対して付された系列インデックス０−３１が０−１５と１６−３１に分割され、それらにファーストレイヤーセルＩＤインジケータ＃１として、それぞれ０−１５を対応させる。この場合、無線フレームタイミング＃１において送信されるＳ−ＳＣＨに使用されるファーストレイヤーセルＩＤグループとして、系列インデックス０−１５に対応するファーストレイヤーセルＩＤグループインジケータ＃１の０−１５番が使用され、無線フレームタイミング２において送信されるＳ−ＳＣＨに使用されるファーストレイヤーセルＩＤグループとして、系列インデックス１６−３１に対応するファーストレイヤーセルＩＤグループインジケータ＃１の０−１５番が使用される。
【００６３】
また、系列２に対して０−３１番の系列インデックスが付されたセカンドレイヤーセルＩＤグループに属するショートコードが２つに分割され、新たに０−１５番の系列インデックスが付される。この系列インデックスをセカンドレイヤーセルＩＤグループインジケータと呼ぶ。例えば、Ｓ−ＳＣＨの系列としては、Walsh-hadamard系列を使用できる。該Walsh-hadamard系列に対して付された系列インデックス０−３１が０−１５と１６−３１に分割され、それらにセカンドレイヤーセルＩＤインジケータ＃２として、それぞれ０−１５を対応させる。この場合、無線フレームタイミング＃１において送信されるＳ−ＳＣＨに使用されるセカンドレイヤーセルＩＤグループとして、系列インデックス０−１５に対応するセカンドレイヤーセルＩＤグループインジケータ＃２の０−１５番が使用され、無線フレームタイミング２において送信されるＳ−ＳＣＨに使用されるセカンドレイヤーセルＩＤグループとして、系列インデックス１６−３１に対応するセカンドレイヤーセルＩＤグループインジケータ＃２の０−１５番が使用される。
【００６４】
図９において、セルＩＤグループは、ファーストレイヤーセルＩＤグループインジケータ＃１とセカンドレイヤーセルＩＤグループインジケータ＃２との組み合わせにより検出される。例えば、フレームタイミング＃１におけるファーストレイヤーセルＩＤグループインジケータ＃１としてのショートコード（Ｓ１ａ）とセカンドレイヤーセルＩＤグループインジケータ＃２としてのショートコード（Ｓ２）との組み合わせと、フレームタイミング＃２におけるファーストセルＩＤグループインジケータ＃１としてのショートコード（Ｓ１ｂ）とセカンドレイヤーセルＩＤグループインジケータ＃２としてのショートコード（Ｓ２）との組み合わせにより検出される。この場合，｛Ｓ１ａ，Ｓ２｝と｛Ｓ１ｂ，Ｓ２｝との間で、セルＩＤグループの衝突が生じないようにその組み合わせが決定されてもよい。ターゲットセルの無線フレームタイミング又は送信アンテナ数情報に関する事前情報が通知されることにより、セルサーチの手順を簡略化できる。例えば、タイミング＃１が事前情報として予め通知された場合、タイミング＃２と送信アンテナ数情報の組み合わせからＳ−ＳＣＨの検出が行われる。この場合、１６×３２の組み合わせからＳ−ＳＣＨの検出が行われる。図９では、ファーストレイヤーセルＩＤグループと無線フレームタイミングとが関連づけられ、セカンドレイヤーセルＩＤグループと送信アンテナ数情報とが関連づけられる場合について説明した。これらの関連づけについては適宜変更可能である。
【００６５】
また、例えば、図１０に示すように、セルＩＤグループを複数種類の系列、例えば２９個と６個のショートコードを含む２種類の系列に分けるようにしてもよい。図１０には、２９個の系列長が２９であるショートコードを含む系列１としてのファーストレイヤーセルＩＤグループ、６個の系列長が６であるショートコードを含む系列２としてのセカンドレイヤーセルＩＤグループが示される。系列２において、無線フレームタイミング及び／又は送信アンテナ数情報を送信するようにしてもよい。例えば、移動局に、セルＩＤグループを事前情報として通知した場合には、移動局は、ハンドオーバ時には、無線フレームタイミング及び送信アンテナ数情報のみを検出すればよい。
【００６６】
ＬＴＥでは、下りリンクリファレンスシグナルのホッピング／シフティングについて、下りリンクのリファレンスシグナルを２９個のホッピングパターンと６個のシフトパターンに分けて送信することが提案されている（例えば、非特許文献１５参照）。上述した２種類の系列で送信する情報を、下りリンクのリファレンスシグナルの周波数ホッピング／シフティングパターンに対応付けるようにしてもよい。このようにすることにより、例えば、事前情報により周波数ホッピングパターンが通知される場合には、ファーストレイヤーセルＩＤグループが通知されることになり、ファーストレイヤーセルＩＤグループの検出を行うステップを省くことができる。
【００６７】
また、例えば、同期信号発生部２０９２は、Ｓ−ＳＣＨを生成する場合に、Ｓ−ＳＣＨで通知するセル固有情報を階層化しなくてもよい。例えば、２種類のショートコードへセル固有情報のマッピングが行われる際に、セル固有情報であるセルＩＤグループと、フレームタイミングと、送信アンテナ数情報のうち少なくとも１つの情報の組み合わせの中から、あるセルにおける干渉が少なくなるように、具体的には隣接セル間で同じショートコードが割り当てられることによる衝突確率が少なくなるように各ショートコードの系列番号が選択される方法を用いてもよい。（非特許文献１６参照）
また、例えば、非特許文献１７にあるように、セル固有情報であるセルIDグループと送信アンテナ数、フレームタイミングのうち少なくとも1つの情報の組み合わせを用いて、2種類のショートコードへの系列番号の割り当てを決定してもよいし、2種類のショートコードへの系列番号の割り当て方法により、フレームタイミング等のセル固有情報を通知するようにしてもよい。
【００６８】
また、例えば、非特許文献１８にあるように、セル固有情報のうち少なくとも1つの情報を、M-PSK変調（Mは，任意の整数）により通知するようにしてもよい。
【００６９】
また、例えば、非特許文献１９にあるように、2種類のショートコード間で、90度の位相回転を適用してもよい。
【００７０】
また、例えば、非特許文献２０にあるように、複数種類（例えば、８種類）のショートコードを用いるようにしてもよい。
【００７１】
周辺セル情報として、送信アンテナ数情報、無線フレームタイミングなどの情報が通知されている場合にも、検出すべき系列数を減少させることができる。
【００７２】
Ｐ−ＳＣＨ生成部２５２により生成されたＰ−ＳＣＨ系列は多重部２６０に入力され、Ｓ−ＳＣＨ生成部２５４により生成されたＳ−ＳＣＨ系列は乗算部２５６に入力される。同期信号制御部２０９１は、スクランブル系列を示す情報をスクランブル系列生成部２５８に入力する。例えば、同期信号制御部２０９１は、全セルで共通のスクランブルコードを示す情報をスクランブル系列生成部２５８に入力する。スクランブル系列生成部２５８は、同期信号制御部２０９１により入力されたスクランブル系列を示す情報に基づいて、スクランブル系列を生成し乗算部２５６に入力する。乗算部２５６では、Ｓ−ＳＣＨに対してスクランブル系列が乗算され、スクランブル系列が乗算されたＳ−ＳＣＨ系列は多重部２６０に入力される。スクランブル系列長としては、２種類のショートコードにまたがってスクランブル（拡散）をしてもよいし、２種類のショートコードそれぞれに対して、スクランブルを行ってもよい。複数種類のスクランブル系列によって、例えば、Ｓ−ＳＣＨ系列へのシステム情報、例えばフレームタイミング、セルＩＤグループ、及び送信アンテナ数情報等のいずれかを通知するようにしてもよい。このようにすることにより、特に１．２５ＭＨｚのシステムにおいて、Ｓ−ＳＣＨ系列のＰＡＰＲを低減することができる。
【００７３】
しかし、隣接セル及び／又は同一基地局内のセルが同一のＳ−ＳＣＨ系列を用いている場合に、隣接セルからの干渉により、ユーザ装置におけるＳ−ＳＣＨの検出確率が劣化する。このため、セルサーチに時間がかかり、セルサーチ時間特性が劣化する。隣接セルからの干渉からの干渉をランダム化することにより、この問題を解決する観点からは、同期信号制御部２０９１は、複数種類のスクランブルコードの中からセル毎に異なるスクランブル系列を示す情報をスクランブル系列生成部２５８に入力するのが好ましい。この場合、Ｓ−ＳＣＨのスクランブルコードとして、セル毎に異なる、すなわち複数種類のスクランブル系列を用いるようにしてもよいし、基地局毎に異なるスクランブル系列を用いるようにしてもよい。この場合、スクランブル系列生成部２５８は、同期信号制御部２０９１により入力されたスクランブル系列を示す情報に基づいて、スクランブル系列を生成し乗算部２５６に入力する。ここで，生成するスクランブル系列は、Ｐ−ＳＣＨ系列番号に対応付けされたＰ−ＳＣＨ系列固有のスクランブル系列を生成してもよい。また、例えば、非特許文献２１にあるように、2種類のショートコードの内，片方のショートコードの系列番号固有のスクランブル系列を生成してもよい。乗算部２５６では、Ｓ−ＳＣＨ系列に対して、スクランブル系列生成部２５８により入力されたスクランブル系列が乗算され、多重部２６０に入力される。スクランブル系列長としては、２種類のショートコードにまたがってスクランブルをしてもよいし、２種類のショートコードそれぞれに対して、スクランブルを行ってもよい。例えば、乗算するスクランブル系列は、全セル固有のスクランブル系列を用いてもよいし、Ｐ−ＳＣＨ系列固有のスクランブル系列を用いてもよいし、複数種類のスクランブル系列を用いてもよいし、2種類のショートコードの内，片方のショートコードの系列番号固有のスクランブル系列を用いてもよい。また、例えば、2種類のショートコードの内，片方のショートコードに，全セル共通のスクランブルを乗算し，もう片方のショートコードに対しＰ−ＳＣＨ系列固有のスクランブル系列を乗算するようにしてもよい。また、例えば、2種類のショートコードの内，片方のショートコードに，Ｐ−ＳＣＨ系列固有のスクランブル系列を乗算し，もう片方のショートコードに対し、片方のショートコード系列番号固有のスクランブル系列を乗算するようにしてもよい。複数種類のスクランブル系列によって、例えば、Ｓ−ＳＣＨ系列へのシステム情報、例えばフレームタイミング、セルＩＤグループ、及び送信アンテナ数情報等のいずれかを通知するようにしてもよい。多重部２６０は、Ｐ−ＳＣＨ系列とスクランブル系列が乗算されたＳ−ＳＣＨ系列とを多重して、データ変調部２０９３に入力する。
【００７４】
同期信号発生部２０９２で生成された同期信号系列は、データ変調部２０９３においてデータ変調され、さらに、直並列変換部２０９４において直並列変換されて周波数軸上のＮＳＣＨ個のシンボル系列に変換される。上記ＮＳＣＨ個のシンボル信号に対して、乗算器２０９５において、振幅調節部２０９６により入力される振幅調節系列値が乗算され、合成部２０８１１に出力される。
【００７５】
次に、本実施例に係る移動局１００について、図１１を参照して説明する。
【００７６】
移動局１００は、基本波形相関部１０２、同期信号レプリカ生成部１０４、符号系列乗算部１０６、上位階層符号相関部１０８、タイミング検出部１１０及びＳ−ＳＣＨ検出部１１２から構成される。
【００７７】
移動局１００は、アンテナで受信したマルチキャリア信号を基本波形相関部１０２に入力する。一方、同期信号レプリカ生成部１０４は、予め設定されている基本波形の同期信号レプリカを生成し、基本波形相関部１０２に順次に入力する。基本波形相関部１０２において、受信したマルチキャリア信号と基本波形の同期信号レプリカとの相関検出が行われる。符号系列乗算部１０６は、基本波形に対する基本波形相関部１０２の出力に符号系列を乗算する（或いは符号反転する）。上位階層符号相関部１０８は、符号系列乗算部１０６の出力に対して上位階層符号との相関検出を行う。このようにして、Ｐ−ＳＣＨのレプリカ相関を行うことができる。
【００７８】
タイミング検出部１１０は、相関値からＰ−ＳＣＨのタイミングおよびＰ−ＳＣＨ系列番号を検出する。Ｐ−ＳＣＨ系列番号が検出されると、スクランブル系列が乗算されたＳ−ＳＣＨ系列のデスクランブルが行われる。そして検出されたＰ−ＳＣＨのタイミングに基づいて、Ｐ−ＳＣＨをリファレンス信号としてＳ−ＳＣＨ検出部１１２においてＳ−ＳＣＨを検出する。ここで、例えば、事前情報として、セルＩＤグループが通知されている場合には、無線フレームタイミングおよび送信アンテナ数情報を検出する。なお、基地局でスクランブルが施されている場合には、同期検波後にデスクランブルを行う必要がある。
【００７９】
具体的に説明する。
【００８０】
下りリンクの信号に含まれるＰ−ＳＣＨとＳ−ＳＣＨによりセルサーチが行われる。尚、上述した、無線通信システム１０００が定義するＰ−ＳＣＨ系列およびＳ−ＳＣＨ系列に基づいて、セルサーチが行われる。すなわち、Ｐ−ＳＣＨ系列およびＳ−ＳＣＨ系列を検出することにより、セルＩＤまたはセルＩＤグループを検出する。そして、セルＩＤを検出した後、セルＩＤと関連づけられるスクランブリングコードを用いて報知情報、例えばプライマリ報知チャネルの受信を行い、セルサーチ処理を終了する。無線通信システム１０００が定義するＰ−ＳＣＨ系列および同期信号送信パターンの詳細は、基地局装置２００ｍにおける説明と同一であるため省略する。
【００８１】
例えば、無線通信システム１０００が、図８における同期信号送信パターンを定義し、かつ、Ｐ−ＳＣＨ系列番号とセルＩＤ情報とが予め関連づけられている場合には、タイミング検出部１１０は、同期チャネルのタイミングおよびＰ−ＳＣＨ系列番号の検出を行う。また、Ｓ−ＳＣＨ検出部１１２は、例えば、Ｓ−ＳＣＨ系列に乗算されたスクランブル系列によりデスクランブルを行い、Ｓ−ＳＣＨに含まれる情報要素を検出することにより、セル固有情報を検出することが可能となる。
【００８２】
次に、本実施例に係る同期チャネル送信方法について説明する。
【００８３】
Ｓ−ＳＣＨ生成部２５４は、複数の同期信号の系列を選択する。例えば、無線フレームタイミング＃１及び＃２それぞれにおいて、１６個のショートコード含む系列長が３２の系列（ファーストレイヤーセルＩＤグループインジケータ＃１）と１６個のショートコードを含む系列長が３２の系列（セカンドレイヤーセルＩＤグループインジケータ＃２）の２種類の系列を選択する。次に、Ｓ−ＳＣＨ生成部２５４は、移動局に予め通知する事前情報を生成する。例えば、セルＩＤグループを特定する情報の一部であるファーストレイヤーセルＩＤグループを示す事前情報を生成する。生成した事前情報が送信される。
【００８４】
また、Ｓ−ＳＣＨ生成部２５４は、選択した複数の同期信号の系列により、セカンダリ同期チャネルを生成する。例えば、セルＩＤグループを特定する情報の一部であるファーストレイヤーセルＩＤグループとともに、セルＩＤグループを特定する情報の一部であるセカンドレイヤーセルＩＤグループを示すセカンダリ同期チャネルを生成する。同期信号制御部２０９１は、スクランブル系列を示す情報をスクランブル系列生成部２５８に入力する。例えば、同期信号制御部２０９１は、全セルで共通のスクランブルコードを示す情報をスクランブル系列生成部２５８に入力する。また，例えば、同期信号制御部２０９１は、複数種類のスクランブルコードを示す情報をスクランブル系列生成部２５８に入力する。セカンダリ同期チャネルは、乗算部２５６に入力され、乗算部２５６においてスクランブル生成部２５８により生成されたスクランブル系列が乗算され、送信される。
【００８５】
移動局は、事前情報とセカンダリ同期チャネルにより、セル固有情報を検出する。
【００８６】
次に、本実施例に係る無線通信システム１０００におけるセルサーチ方法について、図１２を参照して説明する。
【００８７】
第１ステップとして、移動局はプライマリ同期チャネル系列と受信信号との相関検出を行い、プライマリ同期チャネルのキャリア周波数及びタイミングを検出する（Ｓ１１０２、Ｓ１１０４）。この結果、プライマリ同期チャネル系列番号が検出される（ステップＳ１１０６）。この第１ステップで、移動局は信号の位相差を求め、周波数オフセット補償を行ってもよい。
【００８８】
プライマリ同期チャネルのタイミング、キャリア周波数及びプライマリ同期チャネル系列番号がわかると、セカンダリ同期チャネルのタイミング、キャリア周波数もわかる。スクランブル系列が乗算されたセカンダリ同期チャネルに対してデスクランブルが行われる。
【００８９】
次に、セカンダリ同期チャネルで使用されるセル固有のセカンダリ同期チャネル系列から、フレームタイミングを検出する（Ｓ１１０８）。典型的には１フレームに複数（例えば２つ）の同期チャネルが配置されているため、タイミング検出後にフレームタイミングを検出する必要がある。また、セル固有のセカンダリ同期チャネル系列から、セルＩＤグループを検出する（Ｓ１１１０）。
【００９０】
ここで、例えば、セルＩＤグループの一部または全てを事前情報として移動局に前もって通知することにより、検出するべき固有情報の候補数を低減できるため、検出精度を向上させることができる。その結果、特性を改善できる。事前情報としては、例えば、無線フレームタイミングを通知してもよいし、送信アンテナ数情報を通知してもよい。
【００９１】
基地局が複数の送信アンテナを有する場合には、基地局が送信アンテナ数情報をセカンダリ同期チャネルで移動局に通知し、第２ステップで移動局が送信アンテナ数情報（ＭＩＭＯ（Multiple Input Multiple Output）アンテナ数情報）を検出してもよい（Ｓ１１１２）。特に、基地局が報知チャネルを送信するために用いられる送信アンテナ数情報を検出してもよい。
【００９２】
次に、第２ステップで検出されたセルＩＤグループと第１ステップで検出されたプライマリ同期チャネル系列番号を用いてセルＩＤを検出する（Ｓ１１１４）。
【００９３】
次に、本発明の他の実施例に係る移動局及び基地局装置を有する無線通信システムについて説明する。本実施例に係る無線通信システム、基地局装置及び移動局の構成は、図３、図６、図７及び図１１を参照して説明した構成と同様である。
【００９４】
本実施例に係る基地局装置２００では、同期信号制御部２０９１は、Ｐ−ＳＣＨ系列番号に基づいて、Ｐ−ＳＣＨ系列固有のスクランブル系列を示す情報をスクランブル系列生成部２５８に入力する。この場合、スクランブル系列生成部２５８は、同期信号制御部２０９１により入力されたスクランブル系列を示す情報に基づいて、スクランブル系列を生成し乗算部２５６に入力する。乗算部２５６では、Ｓ−ＳＣＨ系列に対してＰ−ＳＣＨ系列固有のスクランブル系列が乗算され、多重部２６０に入力される。この場合、Ｐ−ＳＣＨ系列番号とスクランブル系列番号が対応付けられ規定されている。Ｐ−ＳＣＨではセクタ毎に異なる系列が選択されるので、Ｓ−ＳＣＨに対して異なるスクランブル系列が乗算される。例えば、３セクタ構成のセルのＰ−ＳＣＨ系列は３つの異なる系列を含んで構成されるセットから選択されるので、Ｓ−ＳＣＨ系列に乗算されるスクランブル系列も３つの異なるスクランブル系列を含んで構成されるセットから選択される。
【００９５】
移動局１００のタイミング検出部１１０は、符号系列乗算部１０６の出力と上位階層符号との相関値からＰ−ＳＣＨのタイミングおよびＰ−ＳＣＨ系列番号を検出する。Ｐ−ＳＣＨ系列番号が検出されると、Ｐ−ＳＣＨ系列固有のスクランブル系列が乗算されたＳ−ＳＣＨ系列のデスクランブルが行われる。そして検出されたＰ−ＳＣＨのタイミングに基づいて、Ｐ−ＳＣＨをリファレンス信号としてＳ−ＳＣＨ検出部１１２においてＳ−ＳＣＨを検出する。
【００９６】
また、セルサーチ方法では、図１２を参照して説明したフローにおいて、ステップＳ１１０６において、プライマリ同期チャネル系列番号が検出される。この検出されたプライマリ同期チャネル系列番号により、セカンダリ同期チャネルに乗算されているプライマリ同期チャネル固有のスクランブル系列もわかる。プライマリ同期チャネル固有のスクランブル系列が乗算されたセカンダリ同期チャネルに対して、デスクランブルが行われる。その後、ステップＳ１１０８となる。
【００９７】
このようにすることにより、隣接セル及び／又は同一基地局内のセルが同一のＳ−ＳＣＨ系列を用いている場合に、隣接セルからの干渉をランダム化することが可能となり、Ｓ−ＳＣＨの検出確率を改善することが可能となる。その結果、セルサーチに要する時間を短縮でき、セルサーチ時間特性を改善可能となる。
【００９８】
また、Ｓ−ＳＣＨの検出において、Ｐ−ＳＣＨ系列に基づいてチャネル推定を行う場合に、セル毎のチャネル状態を考慮してチャネル推定を行うことができ、チャネル推定精度を改善できる。チャネル推定の精度を向上させることができることにより、Ｓ−ＳＣＨの検出精度を向上させることができる。
【００９９】
また、本実施例では、Ｓ−ＳＣＨ系列に対してＰ−ＳＣＨ固有のスクランブル系列が適用（乗算）されている。移動局は、セルサーチの初めの段階（第１段階）においてＳＣＨのシンボルタイミング検出を行うが、このとき、同時にＰ−ＳＣＨ系列番号の検出も行う。このようにすることによりＰ−ＳＣＨ系列番号とＳ−ＳＣＨに乗算されるスクランブル系列番号とは１対１対応であるため、検出されたＰ−ＳＣＨ系列番号に基づいて、Ｓ−ＳＣＨスクランブル系列番号が分かる。このため、Ｓ−ＳＣＨスクランブル系列番号を複数種類、例えば３種類検出する必要が無い。従って、Ｓ―ＳＣＨ系列の検出において、演算量を増やすことなく、３種類のＳ−ＳＣＨスクランブル系列を生成することが可能となる。
【０１００】
また、プライマリ報知チャネル（P-BCH:  Primary-Broadcast  Channel）の検出において、演算量を増やすことなく、５１０種類のスクランブル系列を生成することが可能となる。上述したように、Ｓ−ＳＣＨ系列の検出において、演算量を増やすことなく、３種類のスクランブル系列を用いることが可能となる。図１３を参照して説明する。Ｐ−ＳＣＨは３種類のスクランブル系列を含み、スクランブリング処理は行われない。Ｓ−ＳＣＨはＰ−ＳＣＨ固有のスクランブル系列、例えば３種類のスクランブルコードによりスクランブリング処理が行われる。Ｐ−ＢＣＨはセル固有のスクランブル系列、例えば５１０種類のスクランブルコードによりスクランブリング処理が行われる。Ｓ−ＳＣＨ系列は、直交系列、例えば２種類のショートコードによって、１７０種類のセルＩＤグループ情報を通知する。そのため、Ｐ−ＢＣＨの復調において、（３種類のスクランブル系列）×（１７０種類のセルＩＤグループ情報）＝５１０種類のスクランブルコードを、演算量を増やすことなく生成することが可能となる。
【０１０１】
また、Ｐ−ＢＣＨの復調において、Ｓ−ＳＣＨ系列に基づいてチャネル推定を行う場合に、セル毎のチャネル状態を考慮してチャネル推定を行うことができチャネル推定精度を改善できる。チャネル推定の精度を向上させることができることにより、Ｐ−ＢＣＨの復調精度を向上させることができる。
【０１０２】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る移動局装置、基地局装置及び同期チャネル送信方法は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いる全てのシステムにおいて適用することが可能である。
【０１０３】
以上の実施例を含む実施形態に関し、更に、以下の項目を開示する。
【０１０４】
（１）  移動局と下りリンクにおいてＯＦＤＭ方式を用いて通信を行う基地局装置を備える無線通信システムにおける基地局装置であって：
セカンダリ同期チャネルを生成する同期信号発生手段；
前記セカンダリ同期チャネルに、スクランブルコードを乗算する乗算手段；
前記スクランブルコードが乗算されたセカンダリ同期チャネルを送信する送信手段；
を備え、
前記セカンダリ同期チャネルにより、セル固有情報が検出されることを特徴とする基地局装置。
【０１０５】
（２）  （１）に記載の基地局装置において：
複数の同期信号の系列を選択する系列選択手段；
を備え、
前記同期信号発生手段は、選択された複数の同期信号の系列のうち、一部の同期信号の系列及び前記一部の同期信号の系列以外の同期信号の系列により、セカンダリ同期チャネルを生成することを特徴とする基地局装置。
【０１０６】
（３）  （１）又は（２）に記載の基地局装置において：
前記乗算手段は、前記セカンダリ同期チャネルに、セル毎に異なるスクランブルコードを乗算することを特徴とする基地局装置。
【０１０７】
（４）  （３）に記載の基地局装置において：
プライマリ同期チャネルに用いられる系列とスクランブルコードとが対応付けられ、
前記乗算手段は、前記セカンダリ同期チャネルに、プライマリ同期チャネルに用いられる系列に対応するスクランブルコードを乗算することを特徴とする基地局装置。
【０１０８】
（５）  （１）ないし（４）のいずれか１項に記載の基地局装置において：
前記セル固有の情報には、セルＩＤグループ、無線フレームタイミング及び送信アンテナ数情報のうち少なくとも１つの情報が含まれることを特徴とする基地局装置。
【０１０９】
（６）  （５）に記載の基地局装置において：
前記移動局に予め通知する事前情報を生成する事前情報生成手段；
を備え、
前記事前情報には、前記セルＩＤグループの一部を示す情報、セルＩＤグループを示す情報、無線フレームタイミングを示す情報、送信アンテナ数情報を示す情報、及び前記セルＩＤグループの一部を示す情報、セルＩＤグループを示す情報、前記無線フレームタイミングを示す情報及び送信アンテナ数情報を示す情報を組み合わせた情報のうちいずれか１つの情報が含まれることを特徴とする基地局装置。
【０１１０】
（７）  基地局装置と下りリンクにおいてＯＦＤＭ方式を用いて通信を行う移動局装置を備える無線通信システムにおける移動局装置であって：
前記基地局装置は、セカンダリ同期チャネルを生成し、該セカンダリ同期チャネルに、スクランブルコードを乗算し、
前記スクランブルコードが乗算されたセカンダリ同期チャネルのデスクランブルを行うデスクランブル手段；
前記デスクランブルが行われたセカンダリ同期チャネルに基づいて、セル固有情報を検出する検出手段；
を備えることを特徴とする移動局装置。
【０１１１】
（８）  （７）に記載の移動局装置において：
プライマリ同期チャネルに用いられる系列とスクランブルコードとが対応付けられ、
前記デスクランブル手段は、プライマリ同期チャネルに用いられた系列に対応するスクランブルコードにより、セカンダリ同期チャネルのデスクランブルを行うことを特徴とする移動局装置。
【０１１２】
（９）  （８）に記載の移動局装置において：
前記基地局装置は、事前情報を予め通知し、
前記検出手段は、前記事前情報以外のセル固有情報を検出することを特徴とする移動局装置。
【０１１３】
（１０）  移動局と下りリンクにおいてＯＦＤＭ方式を用いて通信を行う基地局装置を備える無線通信システムにおける同期チャネル送信方法であって：
前記基地局装置が、セカンダリ同期チャネルを生成する同期信号発生ステップ；
前記基地局装置が、前記セカンダリ同期チャネルに、スクランブルコードを乗算するスクランブルコード乗算ステップ；
前記基地局装置が、前記スクランブルコードが乗算されたセカンダリ同期チャネルを送信する送信ステップ；
を有し、
前記移動局は、前記セカンダリ同期チャネルにより、前記セル固有情報を検出することを特徴とする同期チャネル送信方法。
【０１１４】
説明の便宜上、発明の理解を促すため具体的な数値例を用いて説明されるが、特に断りのない限り、それらの数値は単なる一例に過ぎず適切な如何なる値が使用されてよい。
【０１１５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１１６】
５０ｋ（５０１、５０２、５０３）  セル
１００ｎ（１００１、１００２、１００３、１００４、１００５）  移動局
１０２  基本波形相関部
１０４  同期信号レプリカ生成部
１０６  符号系列乗算部
１０８  上位階層符号相関部
１１０  タイミング検出部
１１２  Ｓ−ＳＣＨ検出部
２００ｍ（２００１、２００２、２００３）  基地局装置
２０２  送受信アンテナ
２０４  アンプ部
２０６  送受信部
２０８  ベースバンド信号処理部
２０９  同期信号生成部
２１０  呼処理部
２１２  伝送路インターフェース
２０８１  ＲＬＣ処理部
２０８２  ＭＡＣ制御部処理部
２０８３  符号化部
２０８４  データ変調部
２０８５  多重部
２０８６  直並列変換部
２０８７  乗算器
２０８８  乗算器
２０８９  スクランブルコード生成部
２０８１０  振幅調整部
２０８１１  合成部
２０８１２  逆フーリエ変換部
２０８１３  ＣＰ付加部
２０９１  同期信号制御部
２０９２  同期信号発生部
２０９３  データ変調部
２０９４  直並列変換部
２０９５  乗算器
２０９６  振幅調整部
２５２  Ｐ−ＳＣＨ生成部
２５４  Ｓ−ＳＣＨ生成部
２５６  乗算部
２５８  スクランブル系列生成部
２６０  多重部
３００  アクセスゲートウェイ装置
４００  コアネットワーク
１０００  無線通信システム
【図１】
2010028853.tif 000003
【図２】
2010028853.tif 000004
【図３】
2010028853.tif 000005
【図４】
2010028853.tif 000006
【図５】
2010028853.tif 000007
【図６】
2010028853.tif 000008
【図７】
2010028853.tif 000009
【図８】
2010028853.tif 000010
【図９】
2010028853.tif 000011
【図１０】
2010028853.tif 000012
【図１１】
2010028853.tif 000013
【図１２】
2010028853.tif 000014
【図１３】
2010028853.tif 000015